(57)【要約】【課題】 細長い筒形のジョイントボックス１の長手方向の内部の長さは、結線束Ａにおける電線ケーブル９の部分と、被覆電線１２の部分と、コネクタ１３とを直線状態にした形態で、収容できるに十分な長さにしてあり、  上記筒形ジョイントボックス１における口開部に近い下方の位置で、上記電線ケーブル９の束を位置させる場所においては、複数の止着孔４を並設した透明ジョイントボックスを提供する。【解決手段】 止着孔４の形状は、左右横方向に長い長孔（長溝）にし、結線束Ａの電線ケーブル９の本数が多いかったり、少なかったりしても、そこの外形形状における大束及び小束に対応して結束バンド１１等の内径を自由に選定でき、結線束Ａの電線ケーブル９の本数に応じてまとまりよく締め着できる構成した。【選択図】  図５
2005328699.tif 000002
【特許請求の範囲】
【請求項１】
下端には、複数の電線ケーブル９の先端を結線した状態の結線束Ａを差し入れる為の口開部があり、上端は塞がれている細長い筒形のジョイントボックス１の長手方向の内部の長さは、上記結線束Ａにおける夫々の電線ケーブル９の部分と、被覆電線１２の部分と、コネクタ１３とを直線状態にした形態で、収容できるに十分な長さにしてあり、
上記筒形ジョイントボックス１における口開部に近い下方の位置で、上記電線ケーブル９の束を位置させる場所においては、複数の止着孔４を並設し、
それらの止着孔は、結束バンド等の止着部材１１を挿通可能に夫々横に長い長孔、又は横に長い長溝に形成してあることを特徴とするジョイントボックス。
【発明の詳細な説明】
【技術分野】
【０００１】
本願は電気配線工事において、分岐結線した結線束を絶縁保護するジョイントボックスに関するもので、主として規程の定めに基づく長さに電線ケーブルを切除し、結線後触れる必要無く、ほぼ真っ直のままでボックスに収容して止着作業を容易にできるようにしたジョイントボックスに関する。
【背景技術】
【０００２】
分岐配線工事における結線束を絶縁保護するジョイントボックスは、結線数の多少にかかわらず、結線後手でむりやり折り曲げてボックスに収納し、そのカバーを押し圧しネジ止めるなど、結線束を押し圧したままの状態で永続的に固定する構造であり、折り曲げ圧縮する圧力によりコネクタ等の本来持てる電気的接続機能を弱小化するばかりか、その収納作業及びボックスの取り付け作業が非常に複雑困難で手間取る構造であった。
【特許文献１】特開平７−４６７３８号公報
【発明の開示】
【発明が解決しようとする課題】
【０００３】
そこで本願は、規程の定めに基づく長さにケーブルを切除し、それを折り曲げること無く、ほぼ真っ直のまま収納し、一旦結線した後に結線部分には一切触れることなく容易に収納し止着し得るよう、止着部に設けた止着孔及び止着溝の上部から外れた奥部に位置させ、止着孔及び止着溝を開放するように構成したものである。
【課題を解決するための手段】
【０００４】
本願発明のジョイントボックスは、下端には、複数の電線ケーブル９の先端を結線した状態の結線束Ａを差し入れる為の口開部があり、上端は塞がれている細長い筒形のジョイントボックス１の長手方向の内部の長さは、上記結線束Ａにおける夫々の電線ケーブル９の部分と、被覆電線１２の部分と、コネクタ１３とを直線状態にした形態で、収容できるに十分な長さにしてあり、上記筒形ジョイントボックス１における口開部に近い下方の位置で、上記電線ケーブル９の束を位置させる場所においては、複数の止着孔４を並設し、それらの止着孔は、夫々横に長い長孔、又は横に長い長溝に形成してあり、それら複数の止着孔４には結束バンド等の止着部材１１を、上記電線ケーブル９の束に巻付け可能な状態で貫通存置させ、上記筒形ジョイントボックス１における外周面には、任意の造営材１４に装着して上記筒形ジョイントボックス１を吊持ち可能にするボックス止着部５を備えさせ、ジョイントボックス１の口開部から内部に向けて、結線束Ａを直線状態にした形態で挿入した後に、上記結束バンド等の止着部材１１を引き締めて、上記結線束Ａにおける上記電線ケーブル９が束になった部分を締着して、ジョイントボックス１の内部から上記結線束Ａが抜け出さないように構成したものである。
【発明の効果】
【０００５】
以上のように本願発明にあっては、電気配線工事において分岐結線した結線束を絶縁保護する場合、ジョイントボックス１の口開部から内部に向けて、上記結線束Ａを直線状態にした形態で挿入した後は、上記ジョイントボックス１の口開部に近い下方の位置に設けられている複数並設の止着孔４を利用して、そこの結束バンド等の止着部材１１を引き締めて、極めて迅速に上記結線束Ａにおける電線ケーブル９が束になった部分を締着して、ジョイントボックス１の内部から上記結線束Ａが抜け出さないようにできる効果がある。
しかも上記「複数並設の止着孔４」の形状は、左右横方向に長い長孔（長溝）であるから、結線束Ａの電線ケーブル９の本数が多いかったり、少なかったりしても、そこの外形形状における大束及び小束に対応して結束バンド１１等の内径を自由に選定でき、結線束Ａの電線ケーブル９の本数に応じてまとまりよく締め着できる効果がある。
【発明を実施するための最良の形態】
【０００６】
ボックス表面が止着孔及び止着溝の上部に位置して覆うことのないよう表面縁部の位置が止着孔及び止着溝の上部より奥部に位置させて開放露出し、結束バンド等止着部材で容易に結線束を止着し得るようにし、その止着孔は長孔に成して結線束の大小に対応して結束バンド等を容易に通し結束可能とし、止着溝は長溝に形成し、止着分材を入れ易く口開部を設け、大小様々の結線束に対応し容易に止着し得るように構成したものである。
【０００７】
ボックスの材質は主として樹脂材を用い、その材質の硬軟を問わず、ほぼ真っ直の結線束が収納できる内形を成して細長く、外周にはボックス止着部を設けた構造と成し、ボックス下部の底部止着部には一対の止着孔及び止着溝を設け、その上部をボックス表面が覆うことなく表面縁部の位置を止着孔及び止着溝の上部の奥部に位置する後退した位置に設け、上部を開放露出させて作業を容易にし、その止着孔は、夫々図面に現れているように横に長い長孔、又は横に長い長溝状の止着溝に形成し、結線束の大小に対応して容易に止着部材を通して、図５に現れているように電線ケーブル９の回りに巻き付け状態で止着し得るようにし、止着溝には口開部を設け、止着部材が容易に入るようにしたものであり、更に、ボックス外周には任意の止着装置と数を設け、工事現場に適合した方向に向け造営材に止着し得るものである。
【０００８】
次に実施例を示す図面について説明すると、矢印Ａは結線束であり、コネクタ１３で分岐結線したほぼ真っ直の長い電線の束。１は透明ボックスであり、図示されているように一端１５には、複数の電線ケーブル９の先端を結線した状態の結線束Ａを差し入れる為の口開部があり、他端は塞がれている細長い筒形の形態にされている。この透明ボックス１には、図５に示されているように結線束Ａを真っ直のまま挿入し、結線束Ａを絶縁包皮し、造営材１４に止着して安置する。２はボツクス表面側の部材、３は裏面側の部材を示し、透明ボツクス１を構成している。
【０００９】
３は底部側の止着部で、図１における透明ボックス１の下端にある。止着部３に対して、左右に細長い一対の止着孔４（図２においては止着溝７）を設け、これらの止着孔４、止着溝７に対しては、透明ボックス１に対して差し入れた結線束Ａの大束小束の別無く対応させ、結束バンド１１等の止着部材が図５に現れているように結線束Ａの電線ケーブル９を股ぐように通し得る。上記止着孔４、止着溝７が設けられている止着部は、図面から明らかなように透明ボックス１の一部であって一体に形成されている。
５はボックス止着部であり、透明ボックス１の外周に単数又は複数設け、造営材１４の位置に対応する方向に向け最寄りのボックス止着孔６を造営材１４等に止着する。
止着部材３に設けられている止着溝７は、細長い溝で、口開部８を設け、底部止着部３に設けられていることにより止着部材１１が装着し易い。
【００１０】
９はケーブルであり、結線束Ａの付け根部分に当り、二重被覆であり物体に接触しても可とされる外装。１０は止め段であり、ケーブル９をくの字形に折り曲げて成る段に、結線束Ａを止着した止着部材が阻止され抜け止まる。１１は結束バンドであり、止着孔４又は止着溝７に通して結束しする。１２は剥離電線であり、ケーブル９の上部を規程の定めによる長さに剥離し先端を切除してコネクタ１３に真っ直に差し込み、以後これらの部分に触れず真っ直のまま透明ボックス１に差し入れる結線束。造営材１４は吊りボルトで、そのほか木製、鉄骨、掛け金具等ケーブルを止着する様々の部材がある。１５は表面縁部であり、ボックス表面２の縁部に当り、止着孔４の上部を外れた奥部に位置して開放し、止着作業を容易にする。
【００１１】
図１，図２に示されているものは、ボックス表面２の表面縁部１５を、止着部３に設けた止着孔４及び止着溝７の上部を外れた奥部に位置して開放し、結束バンド１１等の止着部材を通し易く、結線束Ａと共に結束止着を容易にした。
図１，図２に示されているように構成すると、ボックス表面２と止着部３との間に結線束Ａを挾んで止着しないため、ボックス自体の柔軟性が無用であり、従って硬質樹脂を用いることが可能であり、ボックス自体に対する外部からの衝撃が結線束Ａに及ばず、完全に保護する。
【００１２】
止着孔４は長孔であり、結線束Ａの大束及び小束に対応して結束バンド１１等を通す位置が自由に選定でき、止着溝７の場合は長孔のうえ、口開部８からも止着部材を差し入れ可能である。ボックス裏面側の止着部３は中央部3aを残し、平面の板状であり、全く開放状態にあり止着作業が極めて容易である。
【００１３】
比較的軟質性ボックスの場合においては、図２のボックス表面２の表面縁部１５を、図３、図４に現れているように、底部止着部３の先端部と同一長さに成し、ボツクス表面２とボックス裏面における止着部３と共通する止着孔４の長孔及び止着溝７を設ければ、結線束Ａを表部材2aでやわらかく上下で挾み、大束及び小束の結線束Ａにそれぞれ対応して無理なく確実且つ容易に作業ができる。
【００１４】
ボックス外周にボックス止着部５を設けることによりボックスを任意の方向に向けて設置し、最寄りの位置にあるボックス止着孔６を造営材１４に止着し得る。底部止着部３には、複数の止め棒、止め板、止め弁等の止着装置を設けても、それらによる止着作業が容易である。
【００１５】
結線束Ａを収納したボックスと共に造営材をも一括して結束が容易であり、その場合、ボックス止着部５を造営材１４に体する止着を省くことができる。
【図面の簡単な説明】
【００１６】
【図１】ボックス１の正面図。
【図２】止着溝７を設けたボックス１の正面図。
【図３】ボックス表面２の下部に止着孔４を設けたボックス１の一部正面図。
【図４】ボックス表面２の下部に止着溝７及び口開部８を設けたボックス１の一部正面図。
【図５】ボックス１に結線束Ａを収納結束した一使用状態を示す正面図。
【符号の説明】
【００１７】
矢印Ａ 結線束
１ ボックス
２ ボックス表面
３ 止着部
４ 止着孔
５ ボックス止着部
６ ボックス止着孔
７ 止着溝
８ 口開部
９ ケーブル
１０ 止め段
１１ 結束バンド
１２ 剥離電線
１３ コネクタ
１４ 造営材
１５ 表面縁部
【図１】
2005328699.tif 000003
【図２】
2005328699.tif 000004
【図３】
2005328699.tif 000005
【図４】
2005328699.tif 000006
【図５】
2005328699.tif 000007
【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
下端には、複数の電線ケーブルの先端を結線した状態の結線束を差し入れる為の口開部があり、上端は塞がれている細長い筒状のジョイントボックスであって、上記筒状のジョイントボックスの長手方向の内部の長さは、上記結線束における夫々の電線ケーブルの部分と、被覆電線の部分と、コネクタとを直線状態にした形態で、収容できるに十分な長さにしてあり、
上記筒状のジョイントボックスにおける口開部近くで上記結線束における複数電線の電線ケーブルの部分を位置させる場所においては、上記ボツクスの表面側の部材と裏面側の部材の両部材又は上記ボツクスの裏面側の部材に対して、夫々両側から中央部に向けて、両端に開口部を備える止着溝を、ボツクスの中央部にボックスの部材が残る状態で備えさせ、
上記筒状のジョイントボックスの内部に上記結線束を挿入し、ボックスの裏面側部材の外面を造営材側の吊りボルトに添え付けた状態で、上記吊りボルトと、上記結線束における電線ケーブルの部分と、上記ボックスの周囲との三者を取り囲み引き締め状態に配置する結束バンドが上記止着溝の両端の開口部から夫々対応する止着溝に入り、ボツクスの中央部に残されるボックスの部材と、上記吊りボルトと、上記結線束における電線ケーブルの部分とを、上記結線束における電線ケーブルの束の大きさに対応する状態で、結束一体化させ得るようにしてあることを特徴とするジョイントボックス。
【請求項２】
下端には、複数の電線ケーブルの先端を結線した状態の結線束を差し入れる為の口開部があり、上端は塞がれている細長い筒状のジョイントボックスであって、上記筒状のジョイントボックスの長手方向の内部の長さは、上記結線束における夫々の電線ケーブルの部分と、被覆電線の部分と、コネクタとを直線状態にした形態で、収容できるに十分な長さにしてあり、
上記筒状のジョイントボックスにおける口開部近くで上記結線束における複数電線の電線ケーブルの部分を位置させる場所においては、上記ボツクスの表面側の部材と裏面側の部材の両部材又は上記ボツクスの裏面側の部材に対して、夫々ボックスの横方向に向けて長孔状に形成した止着孔を、ボツクスの両側及びボツクスの中央部にボックスの部材が残る状態で備えさせ、
上記筒状のジョイントボックスの内部に上記結線束を挿入し、ボックスの裏面側部材の外面を造営材側の吊りボルトに添え付けた状態で、上記吊りボルトと、上記結線束における電線ケーブルの部分と、上記ボックスの中央部に残るボックスの部材との三者を取り囲み引き締め状態に配置する結束バンドが上記止着孔に入り、上記結線束における電線ケーブルの束の大きさに対応する状態で、ボツクスの中央部に残されるボックスの部材と、上記吊りボルトとを共に、結束一体化させ得るようにしてあることを特徴とするジョイントボックス。
【手続補正２】
【補正対象書類名】明細書
【補正対象項目名】全文
【補正方法】変更
【補正の内容】
【発明の詳細な説明】
【技術分野】
【０００１】
本願は電気配線工事において、分岐結線した結線束を絶縁保護するジョイントボックスに関するもので、主として規程の定めに基づく長さに電線ケーブルを切除し、結線後触れる必要無く、ほぼ真っ直のままでボックスに収容して止着作業を容易にできるようにしたジョイントボックスに関する。
【背景技術】
【０００２】
分岐配線工事における結線束を絶縁保護するジョイントボックスは、結線数の多少にかかわらず、結線後手でむりやり折り曲げてボックスに収納し、そのカバーを押し圧しネジ止めるなど、結線束を押し圧したままの状態で永続的に固定する構造であり、折り曲げ圧縮する圧力によりコネクタ等の本来持てる電気的接続機能を弱小化するばかりか、その収納作業及びボックスの取り付け作業が非常に複雑困難で手間取る構造であった。
【特許文献１】特開平７−４６７３８号公報
【発明の開示】
【発明が解決しようとする課題】
【０００３】
そこで本願は、規程の定めに基づく長さにケーブルを切除し、それを折り曲げること無く、ほぼ真っ直のまま収納し、一旦結線した後に結線部分には一切触れることなく容易に収納し止着し得るよう、止着部に設けた止着孔及び止着溝の上部から外れた奥部に位置させ、止着孔及び止着溝を開放するように構成したものである。
【課題を解決するための手段】
【０００４】
本願発明のジョイントボックスは、下端には、複数の電線ケーブルの先端を結線した状態の結線束を差し入れる為の口開部があり、上端は塞がれている細長い筒状のジョイントボックスであって、上記筒状のジョイントボックスの長手方向の内部の長さは、上記結線束における夫々の電線ケーブルの部分と、被覆電線の部分と、コネクタとを直線状態にした形態で、収容できるに十分な長さにしてあり、
上記筒状のジョイントボックスにおける口開部近くで上記結線束における複数電線の電線ケーブルの部分を位置させる場所においては、上記ボツクスの表面側の部材と裏面側の部材の両部材又は上記ボツクスの裏面側の部材に対して、夫々両側から中央部に向けて、両端に開口部を備える止着溝を、ボツクスの中央部にボックスの部材が残る状態で備えさせ、
上記筒状のジョイントボックスの内部に上記結線束を挿入し、ボックスの裏面側部材の外面を造営材側の吊りボルトに添え付けた状態で、上記吊りボルトと、上記結線束における電線ケーブルの部分と、上記ボックスの周囲との三者を取り囲み引き締め状態に配置する結束バンドが上記止着溝の両端の開口部から夫々対応する止着溝に入り、ボツクスの中央部に残されるボックスの部材と、上記吊りボルトと、上記結線束における電線ケーブルの部分とを、上記結線束における電線ケーブルの束の大きさに対応する状態で、結束一体化させ得るようにしたものである。
また好ましくは、下端には、複数の電線ケーブルの先端を結線した状態の結線束を差し入れる為の口開部があり、上端は塞がれている細長い筒状のジョイントボックスであって、上記筒状のジョイントボックスの長手方向の内部の長さは、上記結線束における夫々の電線ケーブルの部分と、被覆電線の部分と、コネクタとを直線状態にした形態で、収容できるに十分な長さにしてあり、
上記筒状のジョイントボックスにおける口開部近くで上記結線束における複数電線の電線ケーブルの部分を位置させる場所においては、上記ボツクスの表面側の部材と裏面側の部材の両部材又は上記ボツクスの裏面側の部材に対して、夫々ボックスの横方向に向けて長孔状に形成した止着孔を、ボツクスの両側及びボツクスの中央部にボックスの部材が残る状態で備えさせ、
上記筒状のジョイントボックスの内部に上記結線束を挿入し、ボックスの裏面側部材の外面を造営材側の吊りボルトに添え付けた状態で、上記吊りボルトと、上記結線束における電線ケーブルの部分と、上記ボックスの中央部に残るボックスの部材との三者を取り囲み引き締め状態に配置する結束バンドが上記止着孔に入り、上記結線束における電線ケーブルの束の大きさに対応する状態で、ボツクスの中央部に残されるボックスの部材と、上記吊りボルトとを共に、結束一体化させ得るようにしたものである。
【発明の効果】
【０００５】
以上のように本願発明にあっては、電気配線工事において分岐結線した結線束を絶縁保護する場合、ジョイントボックス１の口開部から内部に向けて、上記結線束Ａを直線状態にした形態で挿入した後は、上記ジョイントボックス１の口開部に近い下方の位置に設けられている止着孔４又は止着溝７を利用して、そこの結束バンド等の止着部材１１を引き締めて、極めて迅速に上記結線束Ａにおける電線ケーブル９が束になった部分を締着して、ジョイントボックス１の内部から上記結線束Ａが抜け出さないようにできる効果がある。
しかも上記止着孔４又は止着溝７の形状は、左右横方向に長い長孔（長溝）であるから、結線束Ａの電線ケーブル９の本数が多いかったり、少なかったりしても、そこの外形形状における大束及び小束に対応して結束バンド１１等の内径を自由に選定でき、結線束Ａの電線ケーブル９の本数に応じてまとまりよく締め着できる効果がある。
更に上記ボツクスの表面側の部材と裏面側の部材の両部材又は上記ボツクスの裏面側の部材に対して、夫々両側から中央部に向けて、両端に開口部を備える止着溝７を、ボツクスの中央部にボックスの部材が残る状態で備えさせた場合には、
吊りボルト14と、結線束における電線ケーブルの部分９と、上記ボックス１との三者の周囲を結束バンド11で取り囲むだけで、結束バンド11を夫々両側の止着溝７、７に素早く挿入し、結束バンドの引き締め操作をすることのできる作業上の効果がある。
【発明を実施するための最良の形態】
【０００６】
ボックス表面が止着孔及び止着溝の上部に位置して覆うことのないよう表面縁部の位置が止着孔及び止着溝の上部より奥部に位置させて開放露出し、結束バンド等止着部材で容易に結線束を止着し得るようにし、その止着孔は長孔に成して結線束の大小に対応して結束バンド等を容易に通し結束可能とし、止着溝は長溝に形成し、止着部材を入れ易く開口部を設け、大小様々の結線束に対応し容易に止着し得るように構成したものである。
【０００７】
ボックスの材質は主として樹脂材を用い、その材質の硬軟を問わず、ほぼ真っ直の結線束が収納できる内形を成して細長く、外周にはボックス止着部を設けた構造と成し、ボックス下部の底部止着部には一対の止着孔及び止着溝を設け、その上部をボックス表面が覆うことなく表面縁部の位置を止着孔及び止着溝の上部の奥部に位置する後退した位置に設け、上部を開放露出させて作業を容易にし、その止着孔は、夫々図面に現れているように横に長い長孔、又は横に長い長溝状の止着溝に形成し、結線束の大小に対応して容易に止着部材を通して、図５に現れているように吊りボルト１４と、電線ケーブル９の回りに巻き付け状態で止着し得るようにし、止着溝には開口部を設け、止着部材が容易に入るようにしたものであり、更に、ボックス外周には任意の止着装置複数を設け、工事現場に適合した方向に向け造営材に止着し得るものである。
【０００８】
次に実施例を示す図面について説明すると、矢印Ａは結線束であり、コネクタ１３で分岐結線したほぼ真っ直の長い電線の束。１は透明ボックスであり、図示されているように一端１５には、複数の電線ケーブル９の先端を結線した状態の結線束Ａを差し入れる為の口開部があり、他端は塞がれている細長い筒形の形態にされている。この透明ボックス１には、図５に示されているように結線束Ａを真っ直のまま挿入し、結線束Ａを絶縁包皮し、造営材１４に止着して安置する。２はボツクス表面側の部材、３は裏面側の部材を示し、透明ボツクス１を構成している。
【０００９】
３は底部側の止着部で、図１における透明ボックス１の下端にある。止着部３に対して、左右に細長い一対の止着孔４（図２においては止着溝７）を設け、これらの止着孔４、止着溝７に対しては、透明ボックス１に対して差し入れた結線束Ａの大束小束の別無く対応させ、結束バンド１１等の止着部材が図５に現れているように結線束Ａの電線ケーブル９を股ぐように通し得る。上記止着孔４、止着溝７が設けられている止着部は、図面から明らかなように透明ボックス１の一部であって一体に形成されている。
５はボックス止着部であり、透明ボックス１の外周に単数又は複数設け、造営材１４の位置に対応する方向に向け最寄りのボックス止着孔６を造営材１４等に止着する。
止着部材３に設けられている止着溝７は、細長い溝で、開口部８を設け、底部止着部３に設けられていることにより止着部材１１が装着し易い。
【００１０】
９はケーブルであり、結線束Ａの付け根部分に当り、二重被覆であり物体に接触しても可とされる外装。１０は止め段であり、ケーブル９をくの字形に折り曲げて成る段に、結線束Ａを止着した止着部材が阻止され抜け止まる。１１は結束バンドであり、止着孔４又は止着溝７に通して結束する。１２は剥離電線であり、ケーブル９の上部を規程の定めによる長さに剥離し先端を切除してコネクタ１３に真っ直に差し込み、以後これらの部分に触れず真っ直のまま透明ボックス１に差し入れる結線束。造営材１４は吊りボルトで、そのほか木製、鉄骨、掛け金具等ケーブルを止着する様々の部材がある。１５は表面縁部であり、ボックス表面２の縁部に当り、止着孔４の上部を外れた奥部に位置して開放し、止着作業を容易にする。
【００１１】
図１，図２に示されているものは、ボックス表面２の表面縁部１５を、止着部３に設けた止着孔４及び止着溝７の上部を外れた奥部に位置して開放し、結束バンド１１等の止着部材を通し易く、結線束Ａと共に結束止着を容易にした。
図１，図２に示されているように構成すると、ボックス表面２と止着部３との間に結線束Ａを挾んで止着しないため、ボックス自体の柔軟性が無用であり、従って硬質樹脂を用いることが可能であり、ボックス自体に対する外部からの衝撃が結線束Ａに及ばず、完全に保護する。
【００１２】
止着孔４は長孔であり、結線束Ａの大束及び小束に対応して結束バンド１１等を通す位置が自由に選定でき、止着溝７の場合は長孔のうえ、開口部８からも止着部材を差し入れ可能である。ボックス裏面側の止着部３は中央部3aを残し、平面の板状であり、全く開放状態にあり止着作業が極めて容易である。
【００１３】
比較的軟質性ボックスの場合においては、図２のボックス表面２の表面縁部１５を、図３、図４に現れているように、底部止着部３の先端部と同一長さに成し、ボツクス表面２とボックス裏面３における止着部３と共通する止着孔４の長孔及び止着溝７を設ければ、結線束Ａを表部材２の中央部2aでやわらかく上下で挾み、大束及び小束の結線束Ａにそれぞれ対応して無理なく確実且つ容易に作業ができる。
【００１４】
ボックス外周にボックス止着部５を設けることによりボックスを任意の方向に向けて設置し、最寄りの位置にあるボックス止着孔６を造営材１４に止着し得る。底部止着部３には、複数の止め棒、止め板、止め弁等の止着装置を設けても、それらによる止着作業が容易である。
【００１５】
図５に示されているように、電線ケーブル９の部分は、結線束Ａを収納したボックス１の止着部３と共に、止着孔４、４を貫通している結束バンド11を利用して、造営材（吊りボルト14）をも結束バンド11で一括して結束が容易であり、その場合、ボックスの外周止着部５を造営材１４に対して止着することを省くことができる。
【図面の簡単な説明】
【００１６】
【図１】ボックス１の正面図。
【図２】止着溝７を設けたボックス１の正面図。
【図３】ボックス表面２の下部に止着孔４を設けたボックス１の一部正面図。
【図４】ボックス表面２の下部に止着溝７及び開口部８を設けたボックス１の一部正面図。
【図５】ボックス１に結線束Ａを収納結束した一使用状態を示す正面図。
【符号の説明】
【００１７】
矢印Ａ 結線束
１ ボックス
２ ボックス表面
３ 止着部
４ 止着孔
５ ボックス止着部
６ ボックス止着孔
７ 止着溝
８ 開口部
９ ケーブル
１０ 止め段
１１ 結束バンド
１２ 剥離電線
１３ コネクタ
１４ 造営材
１５ 表面縁部